(57)【特許請求の範囲】
【請求項１】
長手形状である照明器具本体と、
長手形状であり、前記照明器具本体の長手方向に沿って前記照明器具本体に取り付けられる光源ユニットと、
前記照明器具本体の長手方向の両端の間に配置され、前記光源ユニットを弾性力によって引っ張る引張機構部と、
前記引張機構部と、前記照明器具本体の長手方向の両端のうちの一方の端との間に配置され、前記引張機構部によって引っ張られる前記光源ユニットの移動を規制する移動規制部と
を備え、
前記照明器具本体は、内部空間を形成した開口部を有し、
前記引張機構部は、前記開口部から前記光源ユニットを前記内部空間に向けて引っ張り、
移動規制部は、前記光源ユニットが前記引張機構部によって前記開口部側から前記内部空間に向けて移動することを抑制し、
前記光源ユニットは、
点灯装置を有し、
前記移動規制部は、
前記点灯装置に当たることで前記光源ユニットの移動を規制する照明装置。
【請求項２】
長手形状である照明器具本体と、
長手形状であり、前記照明器具本体の長手方向に沿って前記照明器具本体に取り付けられる光源ユニットと、
前記照明器具本体の長手方向の両端の間に配置され、前記光源ユニットを弾性力によって引っ張る引張機構部と、
前記引張機構部と、前記照明器具本体の長手方向の両端のうちの一方の端との間に配置され、前記引張機構部によって引っ張られる前記光源ユニットの移動を規制する移動規制部と
を備え、
前記照明器具本体は、内部空間を形成した開口部を有し、
前記引張機構部は、前記開口部から前記光源ユニットを前記内部空間に向けて引っ張り、
移動規制部は、前記光源ユニットが前記引張機構部によって前記開口部側から前記内部空間に向けて移動することを抑制し、
前記引張機構部は、台座を有し、
前記移動規制部は、前記台座と略同形状をしている照明装置。
【請求項３】
前記移動規制部は、
前記照明器具本体に配置され、前記光源ユニットに当たることで前記光源ユニットの移動を規制する請求項１または請求項２に記載の照明装置。
【請求項４】
長手形状である照明器具本体と、
長手形状であり、前記照明器具本体の長手方向に沿って前記照明器具本体に取り付けられる光源ユニットと、
前記照明器具本体の長手方向の両端の間に配置され、前記光源ユニットを弾性力によって引っ張る引張機構部と、
前記引張機構部と、前記照明器具本体の長手方向の両端のうちの一方の端との間に配置され、前記引張機構部によって引っ張られる前記光源ユニットの移動を規制する移動規制部と
を備え、
前記移動規制部は、
前記照明器具本体に配置され、前記光源ユニットと隙間を隔てて配置された照明装置。
【請求項５】
前記光源ユニットは、
点灯装置を有し、
前記移動規制部は、
前記点灯装置に当たることで前記光源ユニットの移動を規制する請求項２または請求項４に記載の照明装置。
【請求項６】
前記光源ユニットは、
発光素子が実装された発光素子基板と、
平板状をなし、一方の面に前記発光素子基板が取り付けられた取付部と
を有し、
前記移動規制部は、
前記一方の面の裏面となる他方の面に当たることで前記光源ユニットの移動を規制する請求項１から請求項５のいずれか一項に記載の照明装置。
【請求項７】
前記移動規制部は、
樹脂で形成された樹脂形成部を有し、前記樹脂形成部が前記光源ユニットに当たることで前記光源ユニットの移動を規制する請求項１から請求項６のいずれか一項に記載の照明装置。
【請求項８】
前記照明装置は、
前記長手方向に沿って順に配置された複数の前記引張機構部を備え、
前記移動規制部は、
前記長手方向において、複数の前記引張機構部うちの二つの前記引張機構部の間に配置された請求項１から請求項７のいずれか一項に記載の照明装置。
【請求項９】
長手形状の照明器具本体であって、長手方向における両端に配置される一対の光源受部を有する照明器具本体と、
長手形状の光源ユニットであって、前記一対の光源受部のそれぞれに支持される一対の光源側支持部を有し、前記照明器具本体の前記長手方向に沿って前記照明器具本体に取り付けられる光源ユニットと、
前記照明器具本体の長手方向の両端の間に配置され、前記光源側支持部が前記光源受部によって支持される前記光源ユニットを弾性力によって引っ張る引張機構部と、
前記引張機構部と、前記照明器具本体の長手方向の両端のうちの一方の端との間に配置され、前記引張機構部によって引っ張られる前記光源ユニットの移動を規制する移動規制部と
を備え、
前記照明器具本体は、内部空間を形成した開口部を有し、
前記引張機構部は、前記開口部から前記光源ユニットを前記内部空間に向けて引っ張り、
移動規制部は、前記引張機構部によって前記内部空間に向けて引っ張られる前記光源ユニットの反り又はねじれの発生を抑制する照明装置。
【請求項１０】
前記引張機構部は、台座を有し、
前記移動規制部は、前記台座と略同形状をしている請求項１、請求項４または請求項９のいずれか一項に記載の照明装置。
【発明の詳細な説明】
【技術分野】
【０００１】
この発明は、光源ユニットと、光源ユニットが着脱自在に取り付けられる照明器具本体とを備える照明装置に関する。
【背景技術】
【０００２】
長尺状に形成され、光源と電源とを備えた光源ユニットと、凹部を有し、凹部に光源ユニットの一部が挿入されて着脱自在に取り付けられる器具本体とを備え、被取付部に取り付けられる照明器具がある。この光源ユニットは、長手側方に器具本体の凹部の開口端縁と重なる延出部が形成されたカバーを備えている。延出部が開口端縁である当接部と接触することで光源ユニットの反り、ねじれが抑制可能ではある（例えば、特許文献１参照）。
【先行技術文献】
【特許文献】
【０００３】
【特許文献１】特開２０１４−１７９２０８公報
【発明の概要】
【発明が解決しようとする課題】
【０００４】
従来の照明器具は、延出部が光源ユニットの変形を抑制する場合は、延出部に常に負荷が係り、延出部自体が変形、破損する可能性がある。
【０００５】
そこで、本発明はカバー及び光源ユニットの他の部品に常に負荷がかかる状態となることなく、カバー及び光源ユニットの変形が低減する機構を有する照明装置の提供を目的とする。
【課題を解決するための手段】
【０００６】
この発明の照明装置は、
長手形状である照明器具本体と、
長手形状であり、前記照明器具本体の長手方向に沿って前記照明器具本体に取り付けられる光源ユニットと、
前記照明器具本体の長手方向の両端の間に配置され、前記光源ユニットを弾性力によって引っ張る引張機構部と、
前記引張機構部と、前記照明器具本体の長手方向の両端のうちの一方の端との間に配置され、前記引張機構部によって引っ張られる前記光源ユニットの移動を規制する移動規制部と
を備える。
【発明の効果】
【０００７】
本発明は移動規制部を備えたので、カバーに負荷がかかる状態となることなく、カバー及び光源ユニットの変形が低減する機構を有する照明装置を提供できる。
【図面の簡単な説明】
【０００８】
【図１】実施の形態１の図で、照明装置の斜視図。
【図２】実施の形態１の図で、照明装置を光源ユニットと照明器具本体とに分解した分解斜視図。
【図３】実施の形態１の図で、（ａ）は光源ユニットの斜め上方からの斜視図であり、（ｂ）は光源ユニットの斜め下方からの斜視図。
【図４】実施の形態１の図で、光源ユニット１００の分解斜視図。
【図５】実施の形態１の図で、連結具の斜視図。
【図６】実施の形態１の図で、本体部２１０の斜視図。
【図７】実施の形態１の図で、照明器具本体の分解斜視図。
【図８】実施の形態１の図で、バネ部２３０がバネ台座２４０に固定された状態を示す斜視図。
【図９】実施の形態１の図で、（ａ），（ｂ）はバネ台座２４０の平面図、右側面図。
【図１０】実施の形態１の図で、（ａ），（ｂ）は移動規制部２５０の平面図、右側面図。
【図１１】実施の形態１の図で、光源ユニットの取付工程を示す図。
【図１２】実施の形態１の図で、光源ユニットの照明器具本体への取り付け前後の、バネ部と連結具との関係を示す断面図であり、（ａ）は光源ユニットの取付前の断面図、（ｂ）は光源ユニットの取り付け後の断面図。
【図１３】実施の形態１の図で、光源ユニットの照明器具本体への取り付け前後の、点灯装置と移動規制部との関係を示す断面図であり、（ａ）は光源ユニットの取付前の断面図、（ｂ）は光源ユニットの取り付け後の断面図。
【図１４】実施の形態１の図で、異なるタイプの照明装置への移動規制部２５０の適用の変形例を示す図。
【図１５】実施の形態１の図で、移動規制部の変形例１を示す図であり、図１３に対応する図。
【図１６】実施の形態１の図で、移動規制部の変形例２を示す図であり、図１３に対応する図。
【図１７】実施の形態１の図で、移動規制部の変形例３、変形例４を示す図であり、図１３（ｂ）に対応する図。
【発明を実施するための形態】
【０００９】
実施の形態１．
＜＊＊＊構成の説明＊＊＊＞
図１〜図１７を参照して実施の形態１の照明装置１０００を説明する。本実施の形態では、本発明に係わる照明装置として、被取付部に取り付けられる、ウォールウォッシャー型の照明装置について説明する。図１は、照明装置１０００の斜視図である。図２は、照明装置１０００を光源ユニット１００と照明器具本体２００とに分解した分解斜視図である。
【００１０】
＜照明装置１０００＞
図２に示すように、照明装置１０００は、長尺に形成された光源ユニット１００と、被取付部に設置され、光源ユニット１００が取り付けられる照明器具本体２００とを備えている。図２に示すように、照明器具本体２００にはＡ，Ｂ，Ｃ，Ｄの矩形形状の開口である開口部２０１が形成されている。開口部２０１から照明器具本体２００の内部空間へ光源ユニット１００の一部が収納される。照明器具本体２００は長手形状をなし、長手方向Ｘの両端に一対の光源受部２２３が配置される。この実施の形態では光源受部２２３は器具蓋部２２０の一部分であるが、器具蓋部２２０とは別に光源受部２２３を設けても良い。光源ユニット１００は一対の光源受部２２３のそれぞれに支持される一対の光源側支持部９１４０である一対の光源蓋部１４０を有する。
【００１１】
＜光源ユニット１００＞
図３（ａ）は光源ユニット１００の斜め上方からの斜視図であり、図３（ｂ）は光源ユニット１００の斜め下方からの斜視図である。図４は光源ユニット１００の分解斜視図であるが、連結具１５０、点灯装置１６０は示していない。図３、図４に示すように、光源ユニット１００は、発光素子基板１１０、保持部１２０、カバー部１３０、光源蓋部１４０、連結具１５０、点灯装置１６０を備えている。
（１）発光素子基板１１０は、長尺状の板状をなして一方の面である実装面に複数の発光素子１１１が実装される。この実施の形態では発光素子１１１はＬＥＤである。光源ユニット１００は、発光素子基板１１０の長手方向Ｘに沿った長尺状である。
（２）保持部１２０は、発光素子基板１１０が取り付けられる。
（３）図４に示すように、カバー部１３０は発光素子基板１１０を覆うように保持部１２０に取り付けられる。
（４）図４のように、長手方向Ｘの両端の光源蓋部１４０は、カバー部１３０の端部を覆う。
（５）連結具１５０は、バネ部２３０と連結する。
（６）点灯装置１６０は発光素子基板１１０を点灯する。
【００１２】
＜発光素子基板１１０＞
図４に示すように、発光素子基板１１０は、複数の発光素子１１１と、複数の発光素子１１１を実装する基板１１２とを有しており、照明装置１０００の長手方向Ｘに延びるように長尺に形成されている。発光素子１１１は基板１１２の長手方向Ｘへ並ぶよう配設されている。
【００１３】
＜保持部１２０＞
図４に示すように、保持部１２０は、発光素子基板１１０が取り付けられる略矩形状をした取付部１２１と、取付部１２１の長手両側辺から垂直に突出した一対の側面部１２２から構成されており、長尺状に形成されている。また、図３（ｂ）に示すように、取付部１２１の発光素子基板１１０が取り付けられる取付面１２１ａの反対側の裏面１２１ｂには、連結具１５０および点灯装置１６０が配設されている。
【００１４】
＜カバー部１３０＞
図１２は、光源ユニット１００の照明器具本体２００への取り付け前後の、バネ部２３０と連結具１５０との関係を示す断面図であり、（ａ）は光源ユニット１００の取付前、（ｂ）は取り付け後を示す。図１２は長手方向Ｘを法線方向とする平面による断面である。図１２の詳細は後述するが、図１２も参照して説明する。図４に示すように、カバー部１３０は長尺状に形成されている。この実施の形態ではカバー部１３０はポリカーボネートの樹脂部材から形成される。図１２に示すように、カバー部１３０は、拡散部１３１、側壁部１３２、傾斜部１３３、上側取付部１３４、下側取付部１３５を有する。
（１）拡散部１３１は、発光素子基板１１０を覆うように円弧状に形成されている。
（２）一対の側壁部１３２は、拡散部１３１の短手方向Ｙの両端部から立ち上がる壁形状をなし、長手方向Ｘに延びる。一対の側壁部１３２は、光源ユニット１００の着脱時に作業者によって保持される。
（３）一対の傾斜部１３３は、それぞれの側壁部１３２の立ち上りの終わりを基端部として、他方の傾斜部１３３に傾いて立ち上がる。
（４）一対の上側取付部１３４は、それぞれの傾斜部１３３の立ち上りの終わりを基端部として、上方向に形成されている。
（５）一対の下側取付部１３５は、それぞれの傾斜部１３３の立ち上りの終わりを基端部として、下方向に形成されている。一対の上側取付部１３４は保持部１２０に取り付けられる。一対の下側取付部１３５は、一対の上側取付部１３４が保持部１２０に取り付けられた状態で取付部１２１の取付面１２１ａを押しており、一対の上側取付部１３４及び一対の下側取付部１３５によって、カバー部１３０が保持部１２０に取り付けられる。
【００１５】
＜光源蓋部１４０＞
光源蓋部１４０は、カバー部１３０及び保持部１２０により形成された、長手方向Ｘの端部の開口を塞ぐ。
【００１６】
＜連結具１５０＞
図５は連結具１５０の斜視図である。連結具１５０は保持部１２０の取付部１２１にねじ１５で固定される。図５に示すように、取付部１２１には連結具１５０が取り付けられる支持部１２１ｃが形成されている。連結具１５０は、保持部１２０に固定される固定部１５１と、固定部１５１の側辺より略垂直に立ち上がり、照明器具本体２００に配置された後述のバネ部２３０と係合する開口部１５３が形成された連結部１５２とを有する。破線で囲んだ連結部１５２の先端は、先端部１５４と呼ぶこととする。先端部１５４は、後述するバネ台座２４０のバネ受け部２４３に当接する。バネ部２３０と、バネ台座２４０と、連結具１５０とは、光源ユニット１００を照明器具本体２００へ引っ張り保持する引張機構部９００を構成する。この関係は図２に示した。引張機構部９００は、一対の光源受部２２３の間に配置され、光源ユニット１００を弾性力によって引っ張る。
【００１７】
＜点灯装置１６０＞
点灯装置１６０は、照明器具本体２００に配設された端子台２６０を介して、商用電力からの電力を発光素子基板１１０に供給し、発光素子基板１１０の発光素子１１１を点灯させる。点灯装置１６０は、図３に示すような略箱形状をしており、内部に商用電力からの電力を発光素子基板１１０に供給できるように制御する点灯回路部（図示していない）が収容されている。また保持部１２０の裏面１２１ｂと対面する点灯装置１６０の面を、点灯装置底面１６１とし、点灯装置底面１６１に対して高さ方向で天面に相当する面を、点灯装置頂面１６２とする。
【００１８】
＜照明器具本体２００＞
図６は本体部２１０の斜視図である。図７は、照明器具本体２００の分解斜視図である。図２、図６、図７に示すように、照明器具本体２００は、本体部２１０、器具蓋部２２０、バネ部２３０、バネ台座２４０、移動規制部２５０、端子台２６０を備えている。
（１）本体部２１０は長尺状に形成され、光源ユニット１００の一部が挿入される。
（２）図２に示すように、器具蓋部２２０は、本体部２１０の長手方向Ｘの端部に、端部を塞ぐように取り付けられる。
（３）バネ部２３０は本体部２１０に配置され、光源ユニット１００の連結具１５０を引っ張る。
（４）バネ台座２４０によって、バネ部２３０が本体部２１０に固定される。
（５）移動規制部２５０は、光源ユニット１００の移動を規制する。
（６）端子台２６０は点灯装置１６０に電力を供給する。
【００１９】
＜本体部２１０＞
図２、図６、図１２に本体部２１０を示している。本体部２１０は、取付部２１１、第一側面部２１３、第二側面部２１４、第一隣接部２１５、第二隣接部２１６を有する。
（１）取付部２１１は、被取付部に当接して被取付部に固定される。
（２）第一側面部２１３は、取付部２１１の短手方向側辺の一方に形成されている。第一側面部２１３は折り曲げ部２１３ａで折り曲げられている。
（３）第二側面部２１４は、取付部２１１の短手方向側辺の他方に第一側面部２１３よりも短く形成されている。
（４）第一隣接部２１５は、第一側面部２１３の端辺から開口部２０１方向へ形成されている。
（５）第二隣接部２１６は、第二側面部２１４の端辺から開口部２０１方向へ形成されている。
（６）取付部２１１には、照明器具本体２００を被取付部に固定する為の固定孔、照明器具本体２００外部から電源電線を引き込む為の電源孔、被取付部の不陸に対応できるよう突設して形成されて凸部を有する。
【００２０】
＜器具蓋部２２０＞
図７に示すように、板状の器具蓋部２２０は、本体部２１０の長手方向の端面を塞ぐ。器具蓋部２２０は、蓋本体部２２１と、開口部２０１の長手方向の端部に配設される光源受部２２３を有している。蓋本体部２２１には複数の照明器具本体２００を連結させる為の連結孔２２１ａ、連結したときに隣接する別の照明器具本体２００から電源電線が引き込まれる連結電線孔２２１ｂが形成されている。なお、連結孔２２１ａ、連結電線孔２２１ｂはノックダウン式により形成しても良い。
【００２１】
＜バネ部２３０＞
図８は、バネ部２３０がバネ台座２４０に固定されている状態を示す。バネ部２３０は、連結具１５０の開口部１５３に挿入されて開口部１５３の縁部１５３ａと係合する円弧状の円弧形状部２３１と、バネ台座２４０に固定される平坦部２３２を有する。円弧形状部２３１の先端には、連結具１５０の縁部１５３ａに引っ掛けられる先端部２３３が形成されている。
【００２２】
＜バネ台座２４０＞
図９（ａ）（ｂ）は、バネ台座２４０の平面図、右側面図である。バネ台座２４０は、バネ部２３０が光源ユニット１００に配置された連結具１５０に係合するように配設されており、長尺状の照明器具本体２００の両端にそれぞれ配設される。バネ台座２４０は、略ハット型形状、あるいは「Π」字形状をしている。バネ台座２４０は、照明器具本体２００の取付部２１１に固定される一対の固定部２４１と、固定部２４１より略垂直に立ち上がった２本の脚部２４２と、開口部２０１と略平行になるように斜めに形成されたバネ受け部２４３とを有している。また、バネ受け部２４３は、バネ部２３０の平坦部２３２が挿し込まれるバネ押さえ部２４３ａと、バネ部２３０の平坦部２３２がバネ押さえ部２４３ａに挿し込まれた後に，ねじ１６で固定するねじ孔２４３ｂが形成されている。なお、２本の脚部２４２はバネ受け部２４３が開口部２０１と略平行になるように、立ち上がり高さが異なる。よって、バネ受け部２４３は開口部２０１と略平行になる。また、ねじ孔２４３ｂはバネ押さえ部２４３ａの左右両方に形成されており、左右どちらからでもバネ部２３０の平坦２３２を挿し込める。
【００２３】
＜移動規制部２５０＞
図２には移動規制部２５０を示す。移動規制部２５０は、引張機構部９００と、一対の光源受部２２３のうちの一方の光源受部２２３との間に配置され、引張機構部９００によって引っ張られる光源ユニット１００の移動を規制する。図２に示すように、移動規制部２５０は、本体部２１０に配置され、光源ユニット１００に当たることで光源ユニット１００の移動を規制する。移動規制部２５０は、バネ台座２４０と略同形状をしている。移動規制部２５０はバネ台座２４０に対して、バネ受け部２４３にバネ押さえ部２４３ａ，ねじ孔２４３ｂが形成されておらず、バネ受け部２４３の表面が平らになったものである。図１０（ａ），（ｂ）は移動規制部２５０の平面図、右側面図を示す。バネ台座２４０の固定部２４１、脚部２４２、バネ受け部２４３に、固定部２５１、脚部２５２、受け部２５３が対応する。移動規制部２５０は、光源ユニット１００が照明器具本体２００に取り付けられた際に、受け部２５３の表面２５３ａが点灯装置頂面１６２とわずかな隙間２５８を隔てて対向するように照明器具本体２００に配設されている。
【００２４】
＜光源ユニット１００の照明器具本体２００への取付方法＞
光源ユニット１００を照明器具本体２００へ取り付けする方法を説明する。図１１を参照して作業者による光源ユニット１００の照明器具本体２００への装着作業を説明する。図１１（ａ）は、照明器具本体２００に光源ユニット１００が取り付けられる前の状態を示す。図１１（ｂ）は、作業者がバネ部２３０を弾性変形させた状態で光源ユニット１００の連結具１５０にバネ部２３０の先端部２３３を連結した状態を示す。図１１（ｃ）は、バネ部２３０が連結具１５０の開口部１５３の縁部１５３ａに対して摺動する状態を示す。図１１（ｄ）は、照明器具本体２００に光源ユニット１００が取り付けられた状態を示す。
（１）はじめに、図１１（ａ）の状態から（ｂ）において、作業者は、照明器具本体２００に配設されたバネ部２３０の先端部２３３を、光源ユニット１００の連結具１５０の開口部１５３に引っ掛ける。
（２）次に、作業者は、図１１（ｃ）のように、光源ユニット１００の一部が照明器具本体２００の内部空間に収納されるように、光源ユニット１００を照明器具本体２００へ押し込む。このとき、バネ部２３０は、円弧形状部２３１が連結具１５０の開口部１５３の縁部１５３ａを摺動する。バネ部２３０は連結具１５０の先端部１５４がバネ台座２４０のバネ受け部２４３に当接するまで、光源ユニット１００を照明器具本体２００側へ引き込む。
（３）図１１（ｄ）のように、光源ユニット１００は、連結具１５０の先端部１５４がバネ台座２４０のバネ受け部２４３に当接するまで照明器具本体２００側へ引き込まれるとともに、光源蓋部１４０が器具蓋部２２０の光源受部２２３に当接し、光源ユニット１００は照明器具本体２００に固定される。図８、図９に、先端部１５４が当接する範囲を範囲２４３ｃとして破線で示した。
【００２５】
＜光源ユニット１００の反り抑制＞
図１３は、光源ユニット１００の照明器具本体２００への取り付け前後の、点灯装置１６０と移動規制部２５０との関係を示す断面図であり、（ａ）は光源ユニット１００の取付前、（ｂ）は光源ユニット１００の取り付け後を示す。図１３は長手方向Ｘを法線方向とする平面による断面である。照明装置１０００は、光源ユニット１００が照明器具本体２００に取り付けられた場合、図２、図１１、図１２、図１３に示すように、光源ユニット１００の支持状態は次の様である。長手方向Ｘの両端それぞれで連結具１５０とバネ部２３０とが係合するとともに、連結具１５０の先端部１５４がバネ台座２４０のバネ受け部２４３の範囲２４３ｃに当接している。長手方向Ｘの両端で光源蓋部１４０が照明器具本体２００の光源受部２２３に当接している。光源ユニット１００は、長手方向Ｘの両端で光源受部２２３に支持されつつ、二つのバネ部２３０によって連結具１５０を介して引っ張られ、光源ユニット１００の自重も含めて、光源ユニット１００は静的なつり合い状態にある。時間の経過により、光源ユニット１００の長手方向Ｘの中央部がバネ部２３０の引張力により照明器具本体２００の内部空間の方向に反ってしまい、光源ユニット１００と照明器具本体２００の開口部２０１の縁との隙間が大きくなってしまうことが懸念される。つまり図１２（ｂ）に示すように、反りによって光源ユニット１００がＺ方向に移動し、隙間１７が拡大してしまう恐れがある。
【００２６】
そこで、図２、図１３に示すように移動規制部２５０を、照明器具本体２００の長手方向Ｘの略中央に、光源ユニット１００に配置された点灯装置１６０の点灯装置頂面１６２と対面するように配設し、照明器具本体２００の移動を規制する。移動規制部２５０は、光源ユニット１００の取付後に光源ユニット１００がＺ方向に移動しようとする場合、受け部２５３が点灯装置頂面１６２に接触して光源ユニット１００の移動を規制することで、光源ユニット１００の反り、ねじれの発生を抑制する。
【００２７】
なお、光源ユニット１００が照明器具本体２００に取り付けられた際には、図１３に示すように、点灯装置頂面１６２と受け部２５３との間には、若干の隙間２５８が設けられている。このように移動規制部２５０は、光源ユニット１００と隙間を隔てて配置されている。隙間２５８は、光源ユニット１００が照明器具本体２００に取り付けられた際に、バネ部２３０の引張力によって点灯装置１６０が移動規制部２５０の受け部２５３に押し付けられて意図しない負荷がかかることを防ぐ。隙間２５８は光源ユニット１００に反りが生じようとした際に、点灯装置頂面１６２と受け部２５３とがすぐに接触する寸法に形成されている。
【００２８】
＜＊＊＊効果の説明＊＊＊＞
本実施の形態では、光源ユニット１００は、長尺形状であり長手方向Ｘの両端側に連結具１５０が配設され、両端側それぞれに配設された連結具１５０の間に点灯装置１６０が配設されている。また照明器具本体２００は、長尺形状であり光源ユニット１００が一部を挿入して取り付けられる開口部２０１が形成されている。照明器具本体２００は、連結具１５０と係合するバネ部２３０を長手方向Ｘの両端側に有し、それぞれのバネ部２３０の間であり、点灯装置１６０に対面する位置に、移動規制部２５０を有していることで、光源ユニット１００の移動を規制し、反り及び長手方向Ｘまわりのねじれを防止できる。
【００２９】
また、照明器具本体２００はバネ部２３０をバネ台座２４０により固定している。バネ台座２４０のバネ受け部２４３に連結具１５０の先端部１５４が当接するが、この当接によっても光源ユニット１００の反りを防止できる。なお、図５に示す連結部１５２の高さＨを変更することで、光源ユニット１００を照明器具本体２００がその内部に引き込む引き込み長さを調整できる。
【００３０】
＜＊＊＊他の構成＊＊＊＞
また図１４に示すように、点灯装置頂面１６２に、樹脂で形成された樹脂形成部２５９を取り付けても良い。樹脂形成部２５９が光源ユニット１００に当たることで光源ユニット１００の移動を規制する。樹脂形成部２５９を取り付けることによって、点灯装置頂面１６２が受け部２５３に押し付けられて、傷、へこみが発生することを防止できる。また、樹脂形成部２５９の厚さを変更することによって、光源ユニット１００を照明器具本体２００がその内部空間に引き込む引き込み長さを調整できる。また、樹脂形成部２５９はクッション性のあるものでも良い。クッション性のある樹脂形成部２５９を用いることで、点灯装置１６０へかかる負荷を吸収できる。なお、樹脂形成部２５９は移動規制部２５０の受け部２５３側に設けても良い。樹脂形成部２５９に代替する部品として、樹脂の他、ゴム材料の代替部品を用いてもよい。
【００３１】
また、移動規制部２５０の受け部２５３と点灯装置頂面１６２との間に隙間２５８を設けるようにしているが、バネ部２３０の引き込む力を制御して、隙間２５８を設けず、受け部２５３が点灯装置頂面１６２に当接するようにしても良い。当接させることによって、点灯装置１６０からの発熱を移動規制部２５０を介して本体部２１０に伝熱し放熱性を向上できる。
【００３２】
なお、本実施の形態では、連結具１５０、点灯装置１６０が光源ユニット１００に取り付けられており、バネ部２３０、バネ台座２４０、移動規制部２５０が照明器具本体２００に取り付けられている。しかし、これらのものは連結具１５０にバネ部２３０が係合するなどの対応関係に相違がなければ、光源ユニット１００、光源照明器具本体２００のどちらに取り付けられても良い。
【００３３】
なお、移動規制部２５０はバネ台座２４０と同じ様な形状として説明したが、点灯装置１６０のタイプまたは当てる箇所により、高さ、形状を変えても良い。また、移動規制部２５０はバネ台座２４０であっても良い。
【００３４】
なお、本実施の形態では、光源ユニット１００に反りが起ころうとする際に、移動規制部２５０が点灯装置頂面１６２に当接して光源ユニット１００の移動を規制することで、光源ユニット１００の反りを防止している。この構成に関して、図１５に示す照明装置１００１のように、光源ユニット１００の取付部１２１の裏面１２１ｂと当接して光源ユニット１００の移動を規制する移動規制部２５０−１でも良い。このように移動規制部２５０は、実装面１２２ａの裏面１２２ｂに当たることで光源ユニット１００の移動を規制する。移動規制部２５０−１を構成する固定部２５０１−１及びその他の要素は移動規制部２５０の固定部２５１及びその他の要素に対応する。また、移動規制部２５０は、配線カバーなど点灯装置以外の光源ユニット１００に取り付けられる部品に当接させても良い。また、受け部２５３の表面にクッション部材などを配設することで、バネ部２３０の引き込む力による点灯装置１６０への負荷を緩和できる。また、移動規制部２５０は樹脂成型などで形成してもよく、樹脂成型にすることで部材制作の作業性を上げることができる。
【００３５】
なお、本実施の形態では、移動規制部２５０の受け部２５３は平面形状としているが、図１６に示す照明装置１００２のように、複数の面で形成された受け部２５３−２を有する移動規制部２５０−２としても良い。移動規制部２５０−２を構成する固定部２５０１−２及びその他の要素は移動規制部２５０の固定部２５１及びその他の要素に対応する。
【００３６】
なお、本実施の形態では、移動規制部２５０の受け部２５３は平面形状であるが、図１６に破線で示すように、点灯装置頂面１６２を長手方向Ｘに沿って線接触で受ける形状でも良い。
【００３７】
なお、本実施の形態ではウォールウォッシャー型の照明装置に関して説明したが、図１７（ａ）のようにコーナー用の照明装置１００３及び図１４（ｂ）のトラフ型の照明装置１００４にも適用できる。また、図示はしてないが逆富士型、埋め込み型にも適用できる。また、図１７（ａ）に示すように移動規制部２５０−３は器具形状に応じて変更してもよく、また図１７（ｂ）のように取付部２１１を加工して移動規制部２５０−４を形成しても良い。
【００３８】
なお、本実施の形態では二つの引張機構部９００を示しているが、引張機構部９００は一対の光源受部２２３の間に一つが配置されても良いし、複数の引張機構部９００が配置されても良い。複数の引張機構部９００が配置された場合は、移動規制部２５０は、長手方向Ｘにおいて、二つの引張機構部９００の間に配置される。
【符号の説明】
【００３９】
１５，１６  ねじ、１７  隙間、１００  光源ユニット、１１０  発光素子基板、１１１  発光素子、１１２  基板、１２０  保持部、１２１  取付部、１２２  側面部、１２１ａ  取付面、１２１ｂ  裏面、１２１ｃ  支持部、１３０  カバー部、１３１  拡散部、１３２  側壁部、１３３  傾斜部、１３４  上側取付部、１３５  下側取付部、１４０  光源蓋部、１５０  連結具、１５１  固定部、１５２  連結部、１５３  開口部、１５３ａ  縁部、１５４  先端部、１６０  点灯装置、１６１  点灯装置底面、１６２  点灯装置頂面、２００  照明器具本体、２０１  開口部、２１０  本体部、２１１  取付部、２１３  第一側面部、２１３ａ  折り曲げ部、２１４  第二側面部、２１５  第一隣接部、２１６  第二隣接部、２２０  器具蓋部、２２１  蓋本体部、２２３  光源受部、２３０  バネ部、２３１  円弧形状部、２３２  平坦部、２３３  先端部、２４０  バネ台座、２４１  固定部、２４２  脚部、２４３  バネ受け部、２４３ａ  バネ押さえ部、２４３ｂ  ねじ孔、２５０  移動規制部、２５１  固定部、２５２  脚部、２５３  受け部、２５８  隙間、２５９  樹脂形成部、２６０  端子台、９００  引張機構部、９１４０  光源側支持部、１０００  照明装置。
【図１】
0006675836.tif 000002
【図２】
0006675836.tif 000003
【図３】
0006675836.tif 000004
【図４】
0006675836.tif 000005
【図５】
0006675836.tif 000006
【図６】
0006675836.tif 000007
【図７】
0006675836.tif 000008
【図８】
0006675836.tif 000009
【図９】
0006675836.tif 000010
【図１０】
0006675836.tif 000011
【図１１】
0006675836.tif 000012
【図１２】
0006675836.tif 000013
【図１３】
0006675836.tif 000014
【図１４】
0006675836.tif 000015
【図１５】
0006675836.tif 000016
【図１６】
0006675836.tif 000017
【図１７】
0006675836.tif 000018